(57)【特許請求の範囲】
【請求項１】
容器からの溶融金属の排出流量を制御するために前記容器の底部に配置される、固定プレート耐火物と、当該固定プレート耐火物の一面に接して摺動する摺動プレート耐火物を有し、摺動プレート耐火物の前記摺動を油圧又は電力によって行うスライディングノズル装置の、前記両プレート耐火物の損傷を測定する装置であって、
４００〜５５０nmの波長のレーザーを使用した二次元検出器を、前記スライディングノズル装置が前記容器の底部に設置された状態で、前記固定プレート耐火物及び摺動プレート耐火物のそれぞれの摺動面に、前記両プレート耐火物の貫通孔中心を通る摺動方向の前記両プレート耐火物の全幅、または、前記両プレート耐火物の前記幅の何れかの端部を測定範囲として、前記レーザーを照射可能に設置したことを特徴とするプレート耐火物損傷測定装置。
【請求項２】
請求項１に記載の測定装置を用いて固定プレート耐火物及び摺動プレート耐火物の損傷を測定する方法であって、
前記二次元検出器により前記両プレート耐火物の摺動面までの距離を検出することで、前記両プレート耐火物の厚み方向の損傷を測定することを特徴とするプレート耐火物の損傷測定方法。
【請求項３】
請求項１に記載の測定装置を用いて請求項２に記載の方法でプレート耐火物の損傷を測定し、プレート耐火物の交換の要否を判定する方法であって、
前記スライディングノズル装置が全閉状態において、固定プレート耐火物及び摺動プレート耐火物の、それぞれの貫通孔間の領域におけるそれぞれの貫通孔の近傍からストローク側の深さが０．５mm以上の損傷をエッジ損傷と定義し、下記式を満たす場合にプレート耐火物の交換の必要ありと判定することを特徴とするプレート耐火物の交換要否判定方法。
（Ｓ−Ｄ）≦（Ｅup＋Ｅlp）
但し、Ｓ：プレートストローク量（mm）
Ｄ＝（Ｄu ＋Ｄl ）／２
Ｄu ：固定プレート耐火物の貫通孔の内径（mm）
Ｄl ：摺動プレート耐火物の貫通孔の内径（mm）
Ｅup：固定プレート耐火物のストローク側エッジ損傷量(mm)
Ｅlp：摺動プレート耐火物のストローク側エッジ損傷量(mm)
【発明の詳細な説明】
【技術分野】
【０００１】
本発明は、取鍋やタンディッシュなどの容器から排出される溶融金属の流量制御を行うスライディングノズル装置に使用されるプレート耐火物の損傷を測定する装置及び方法、並びにプレート耐火物の交換の有無を判定する方法に関するものである。
【背景技術】
【０００２】
取鍋やタンディッシュなどの容器から排出される溶融金属は、前記容器の底部に配置された、２枚のプレートで構成されるスライディングノズル装置を使用して流量が制御される。このスライディングノズル装置は、スライディングゲート装置或いはスライドバルブ装置などとも称される。
【０００３】
スライディングノズル装置を構成するプレート耐火物は、固定プレート耐火物と、この固定プレート耐火物の下面にその上面を接するように配置される摺動プレート耐火物であり、何れも貫通孔が形成されている。以下、固定プレート耐火物の下面及び摺動プレート耐火物の上面を、固定プレート耐火物の摺動面、摺動プレート耐火物の摺動面とも言う。
【０００４】
そして、この摺動プレート耐火物をスライダー等の駆動装置により直線移動または回転移動させて、両貫通孔の一致面積を調整することにより、スライディングノズル装置の開度を調節し、排出する溶融金属の流量を制御する。
【０００５】
前記プレート耐火物（以下、単に「プレート」とも言う。）は、高温の溶融金属の排出という苛酷な環境下で使用されるため、使用に伴って次第に損傷する。その損傷形態には、開度を絞って溶融金属を排出する場合に各プレートの貫通孔のエッジ部が損傷するエッジ損傷と、摺動プレートの摺動動作に伴い各摺動面が損傷するストローク損傷に大別される。このほかにも酸化による組織劣化や地金の引き込み等により摺動面に荒れが発生する場合がある。
【０００６】
ところで、溶融金属を排出するときは、両プレートの貫通孔が一致する面積部分がない状態（スライディングノズル装置が全閉状態で、溶融金属は排出されない。）から、必要な開度まで摺動プレートを移動させて開度を調整することにより適度な流量で溶融金属を排出する。そして、溶融金属の排出が完了すると、摺動プレートを移動させてスライディングノズル装置を再び全閉に戻す。この一連の動作を１チャージ（以下、「１ｃｈ」と記載する。）と称する。
【０００７】
スライディングノズル装置の使用に際しては、例えば、スライディングノズル装置を１回使用すると、両プレートを交換しない場合でも、貫通孔の酸素洗浄を実施する。２ｃｈ程度使用後までは摺動プレートを取り付けたスライダー部分を開かずに、貫通孔部から目視検査をする。３ｃｈ使用後からは毎回、前記スライダー部分を開いてプレート間を検査し、何回目かの使用後に両プレートを交換する。
【０００８】
スライディングノズル装置のプレート交換については、上記のように摺動プレートを取り付けたスライダー部分を開いた状態で損傷状況の確認を行わず、規定のチャージ回数まで使用した後に、損傷状況に関わらずプレートを交換する方法もある。
【０００９】
プレートの前記損傷はチャージ数の増加に伴って進行するため、損傷状況を確認する必要がある。この損傷状況の確認は、オンライン中（高温状態）は目視で確認する一方、オフライン中は室温近くに温度が下がったプレートの表面にストレートエッジ等をあて、ストレートエッジと損傷個所の間の間隙を隙間ゲージ等で測定することによって行っている。
【００１０】
しかしながら、使用後のプレートの摺動面には地金付着や剥離などによって細かい凹凸が形成されている。オンライン中の目視測定による損傷測定の精度が低いことは言うまでもないが、オフラインの測定においても、特に凸部ではストレートエッジが浮くため、正確な面損傷度の測定が困難な場合がある。
【００１１】
また、プレートは、損傷深さが１mm程度になると、使用上、問題を生じることになるが、損傷を測定するという観点からは、損傷深さが１mm以下の部分では当該損傷を正確に測定することが難しい等の問題があり、プレートの損傷を測定する際の精度が低いこと、さらに、人的ばらつきにより測定精度が悪化することは避けられない。
【００１２】
このような背景から、スライディングノズル装置のプレートを交換する場合は、前述したように、決められた使用回数の経過により交換することを原則として、これに、損傷状況の測定により異常の有無を確認する程度であった。
【００１３】
しかしながら、このような方法で交換する場合は、交換すべき時期を逸して操業上の問題を生じる場合がある。また逆に、時期が来れば交換の必要がない状態にも関わらず交換することになってコストの増大をもたらす。
【００１４】
従って、より定量的にプレートの交換の有無を判定できる方法が望まれており、例えば特許文献１，２が提案されている。
【００１５】
特許文献１には、固定プレート及び摺動プレートの摺動面を重ね合わせた状態で各摺動面の凹凸によって生じるプレート間の隙間を光学的に測定し、当該隙間が１mmを超えた場合にプレートを交換する方法が開示されている。
【００１６】
しかしながら、特許文献１には、プレートが高温の状態で交換の有無の判定を行うことについては全く記載されてない。また、前記隙間の測定はスライディングノズル装置から取り外して行っているが、プレートを室温まで完全に冷却した場合、熱衝撃のためにプレートの損傷が大きくなる。また、交換の有無の判定を行うためにプレートを取り外し、再度寿命まで数回使用した後取り外すことになるため、取り外し・取り付けの回数が増える。
【００１７】
また、特許文献２では、取鍋またはタンディッシュ内の溶融金属を排出した状態で摺動プレートを摺動させて摺動圧力を検出し、この摺動圧力が予め設定した摺動圧力を超えた場合に警報を発して異常を検知する方法が開示されている。
【００１８】
しかしながら、特許文献２には、プレートの損傷量と摺動圧力の相関性について記載されておらず、プレートの損傷量に基づいた交換判定ではない。
【先行技術文献】
【特許文献】
【００１９】
【特許文献１】特開２０１０−８２６８９号公報
【特許文献２】特開２００４−２９１０１１号公報
【発明の概要】
【発明が解決しようとする課題】
【００２０】
本発明が解決しようとする問題点は、特許文献１で開示された方法は、隙間の測定をスライディングノズル装置から取り外して行うので、熱衝撃のためにプレートの損傷が大きくなり、また、取り外し・取り付けの回数が増えるという点である。
【００２１】
また、特許文献２で開示された方法は、プレートの損傷量と摺動圧力の相関性について記載されておらず、プレートの損傷量に基づいた交換判定ではないという点である。
【課題を解決するための手段】
【００２２】
本発明は、スライディングノズル装置にプレートを取り付けたまま、高温下での交換判定を可能とするためのプレートの損傷を測定する装置及び方法と、プレート交換の要否を判定する方法を提供することを目的としている。
【００２３】
すなわち、本発明のプレートの損傷測定装置は、
容器からの溶融金属の排出流量を制御するために前記容器の底部に配置される、固定プレートと、当該固定プレートの一面に接して摺動する摺動プレートを有し、摺動プレートの前記摺動を油圧又は電力によって行うスライディングノズル装置の、前記両プレートの損傷を測定する装置であって、
４００〜５５０nmの波長のレーザーを使用した二次元検出器を、前記スライディングノズル装置が前記容器の底部に設置された状態で、前記固定プレート及び摺動プレートのそれぞれの摺動面に、前記両プレート耐火物の貫通孔中心を通る摺動方向の前記両プレート耐火物の全幅、または、前記両プレート耐火物の前記幅の何れかの端部を測定範囲として、前記レーザーを照射可能に設置したことを最も主要な特徴としている。
【００２４】
本発明のプレートの損傷測定装置は、油圧又は電力により自動で固定プレートに対して摺動プレートを摺動させて開閉が可能なスライディングノズル装置を使用するので、使用中におけるプレートの観察を容易に行うことができる。
【００２５】
また、４００〜５５０nmの波長のレーザーを使用するので、高温下での距離測定と測定位置の判別を同時に可能とすることができる。
【００２６】
また、本発明のプレートの損傷測定方法は、
上記本発明の測定装置を用いて固定プレート及び摺動プレートの損傷を測定する方法であって、
前記二次元検出器により前記両プレートの摺動面までの距離を検出することで、前記両プレートの厚み方向の損傷を測定することを最も主要な特徴としている。
【００２７】
本発明のプレートの損傷測定方法は、二次元検出器のレーザーを用いた測定範囲を「貫通孔の中心を通る摺動方向のプレート全幅」とするので、プレートの位置測定を不要にすることができる。また、プレートと二次元検出器の距離を変化させても、容易にその補正をすることが可能となる。
【００２８】
また、本発明のプレートの交換要否判定方法は、
上記本発明の測定装置を用いて上記本発明の方法でプレートの損傷を測定し、プレートの交換の要否を判定する方法であって、
前記スライディングノズル装置が全閉状態において、固定プレート及び摺動プレートの、それぞれの貫通孔間の領域におけるそれぞれの貫通孔の近傍からストローク側の深さが０．５mm以上の損傷をエッジ損傷と定義し、下記式を満たす場合にプレートの交換の必要ありと判定することを最も主要な特徴としている。
（Ｓ−Ｄ）≦（Ｅup＋Ｅlp）
但し、Ｓ：プレートストローク量（mm）
Ｄ＝（Ｄu ＋Ｄl ）／２
Ｄu ：固定プレート耐火物の貫通孔の内径（mm）
Ｄl ：摺動プレート耐火物の貫通孔の内径（mm）
Ｅup：固定プレート耐火物のストローク側エッジ損傷量(mm)
Ｅlp：摺動プレート耐火物のストローク側エッジ損傷量(mm)
【００２９】
上記本発明において、「プレートストローク量」とは、固定プレートに対して、摺動プレートが相対的に移動できる範囲である。スライディングノズル装置の全閉状態における、固定プレートの貫通孔と摺動プレートの貫通孔の中心点の位置の距離がプレートストローク量に相当する。
【００３０】
本発明のプレートの交換要否判定方法では、本発明の測定装置を用いて本発明の方法で測定したプレートの損傷をもとに、従来測定不可能とされていたオンライン（操業中）でのプレートの損傷量を高精度に測定することが可能となる。
【発明の効果】
【００３１】
本発明では、オンラインでのプレートの損傷量を高精度に測定することが可能となるので、交換が必要な時期までプレートを使用できてコスト低減が可能になる。また、本来交換が必要なプレートを使用することによる漏鋼を防止できて、安全性が向上する。
【図面の簡単な説明】
【００３２】
【図１】固定プレートと摺動プレートの位置関係を説明する図で、（ａ）は側面方向から見た図、（ｂ）は上方向から見た固定プレート、（ｃ）は上方向から見た摺動プレートである。
【図２】本発明装置を使用して本発明方法でプレートの損傷を測定する場合の概要を説明する図である。
【図３】８ｃｈ使用後にプレートの損傷を測定した状況を示した図で、（ａ）は固定プレート、（ｂ）は摺動プレートの図である。
【発明を実施するための形態】
【００３３】
発明者らは、スライディングノズル装置にプレートを取り付けたまま、高温下での交換判定を可能とすることについて検討した結果、以下の知見を得た。
【００３４】
1)油圧又は電力により自動で固定プレートに対して摺動プレートを摺動させて開閉が可能なスライディングノズル装置を使用すれば、使用中におけるプレートの観察を容易に行うことができる。
【００３５】
2)一般のレーザー距離計に利用されている赤色レーザーの場合、高温下では測定位置の判別が困難である。これに対して、４００〜５５０nmの波長の青色レーザーを使用すれば、距離測定と測定位置の判別を同時に可能とすることができる。
【００３６】
3)対象物と測定機器の距離が一定でないと測定範囲が変化することによって誤差が発生する。従って、三次元カメラなどでは、位置決めのために対象物に一定パターンの光の照射、或いはマーキングが必要になる。これに対して、二次元検出器のレーザーを使用し、測定範囲を「貫通孔の中心を通る摺動方向のプレート全幅」とすれば、プレートの位置測定が不要になる。つまり、このようにプレート全幅を測定すれば、測定結果からプレートの両端位置を検出できるので、プレートと二次元検出器の距離を変化させても、容易にその補正が可能となる。二次元検出器の測定範囲がプレート全幅よりも小さい場合は、プレートの端部又は貫通孔を含めることで測定データにより測定位置が明らかとなる。
【００３７】
発明者らは、上記知見を元に、取鍋に油圧シリンダーにより自動で摺動プレートと固定プレートを開閉できるスライディングノズル装置を取付け、鋳造開始から４０分後に４００〜５５０nmの波長の青色レーザーを使用した二次元検出器を用いて、プレートの測定を実施した。その結果、８００℃以上の高温下でも精度よくプレートに発生した損傷の深さを測定することができた。
【００３８】
本発明は、上記知見及び実験結果に基づいてなされたものであり、溶融金属の流量制御用プレートの交換の有無を判定するためのプレートの損傷を測定する装置及び方法と、これらを用いてプレートの交換の有無を判定する方法である。
【００３９】
そして、本発明の特徴とするところは、油圧又は電力によって容易に自動で固定プレートに対して摺動プレートを摺動させて開閉できるスライディングノズル装置を用いて、高温下でも測定可能な青色レーザーを使用した二次元検出器を使用してプレートの貫通孔中心を通る摺動方向のプレート全幅を測定することである。
【００４０】
以下、本発明を詳細に説明する。
まず、スライディングノズル装置の構成要素である固定プレートと摺動プレートの位置関係について、図１を用いて説明する。
【００４１】
スライディングノズル装置１は、固定プレート２と摺動プレート３を備えた構成である。このうち、摺動プレート３は、その上面が溶融金属容器に固定された固定プレート２の下面に接するように配置され、油圧シリンダー４によって摺動して、固定プレート２との相対位置を変更することができる。
【００４２】
これら固定プレート２及び摺動プレート３は、それぞれ貫通孔２ａ，３ａを一方側又は他方側に設けている。これら貫通孔２ａ，３ａの内径Ｄu とＤl は、同じであることも多い。
【００４３】
スライディングノズル装置１の開度調整は、油圧シリンダー４を作動させて前記摺動プレート３を摺動させ、固定プレート２の貫通孔２ａと摺動プレート３の貫通孔３ａの一致面積を調整することにより行う。図１は完全に閉の状態を示したものであり、固定プレート２の貫通孔２ａと摺動プレート３の貫通孔３ａの中心軸間の距離Ｓがプレートストローク量である。
【００４４】
固定プレート２の貫通孔２ａと摺動プレート３の貫通孔３ａの一致面積（スライディングノズル開度）を絞って溶融金属を排出する場合には、前記貫通孔２ａ，３ａのそれぞれ隣り合う側（以下、「ストローク側」と言う。）のエッジ部が損傷するエッジ損傷が発生する。これらのエッジ損傷量を、それぞれ、固定プレートストローク側エッジ損傷量Ｅup、摺動プレートストローク側エッジ損傷量Ｅlpとする。
【００４５】
なお、各プレート２，３は、使用に伴って反ストローク側にも若干の損傷が生じる場合もあるが、プレート自体の健全性を毀損しない限りは、スライディングノズル装置１の溶融金属流量制御機能には影響を与えないので、本発明では反ストローク側の損傷については考慮しない。
【００４６】
次に、損傷測定装置を使用して各プレート２，３の損傷を測定する方法の概要を図２に示す。
【００４７】
本発明ではレーザーを使用した二次元検出器５からスライディングノズル装置１までの距離を測定するが、操業中は８００℃程度の高温で、発光している固定プレート２や摺動プレート３へ前記レーザーを照射して位置決めを行う。
【００４８】
本発明で使用する二次元検出器５は、いわゆる二次元レーザー距離計であり、単一の投光部から投光されるレーザー光を、レンズ等で両側に広げて、所定の測定範囲を確保できる構造になっている。この距離計を使用すれば、レーザー光のスキャニングや、レーザー距離計を移動しながらの測定を行う必要がないので、測定時間が短く、簡便に測定することができる。
【００４９】
測定位置は貫通孔２ａ又は３ａを含んだ固定プレート２又は摺動プレート３の全幅に対して行うことが測定部の位置を決定する必要が無いため望ましい。
【００５０】
二次元検出器５の一回の測定で、固定プレート２又は摺動プレート３の全幅を測定できない場合は、次のように測定すればよい。
【００５１】
固定プレート２又は摺動プレート３との距離を一定として二次元検出器５を走査し、固定プレート２又は摺動プレート３の、貫通孔２ａ又は３ａを設けない方の端部２ｂ又は３ｂと、貫通孔２ａ又は３ａを設けた方の端部２ｃ又は３ｃを含む部分を複数回に分けて測定する。このようにすることでも全幅に対する各測定部位置を決定することができる。
【００５２】
あるいは、複数の二次元検出器５を使用した複数の測定結果を重ね合わせて全幅を測定することでも、全幅に対する各測定部位置を決定することができる。この方法を採用する場合も、前記複数回の測定を行う場合と同様に、各々の測定結果について、固定プレート２又は摺動プレート３の、貫通孔２ａ又は３ａを設けない方の端部２ｂ又は３ｂと、貫通孔２ａ又は３ａを設けた方の端部２ｃ又は３ｃを含む部分を測定範囲に含めておくことで、全幅に対する各測定部位置を決定することができる。
【００５３】
二次元検出器５で、波長が６５５nm程度の赤色レーザーを使用した場合は、発光部と近い色合いのため測定位置の判別を行うことが困難であり、測定データも発光の影響を受けるため精度よく測定することができない。一方、波長が５３２nm程度の緑色レーザーを使用した場合は、測定は可能であるが、位置の判別が難しい。
【００５４】
これに対して、波長が４０５nm程度の青色レーザーを使用した場合は、最も精度が良く、明確にレーザー光が固定プレート２上又は摺動プレート３上で見えるため、測定位置の判別がしやすくなる。従って、本発明では、例えば４０５nmの波長の青色レーザーを使用した二次元検出器５を使用することとした。
【００５５】
固定プレート２及び摺動プレート３の交換の有無を判定するに際し、先に説明した特許文献１では両プレート２，３を重ね合わせた状態での隙間位置を計算し、隙間の最小値が１mmを超えた場合に交換するとしている。
【００５６】
しかしながら、発明者らは上記で得られた測定データを解析した結果に基づき、全閉時に固定プレート２及び摺動プレート３の貫通孔２ａ，３ａで挟まれた領域内において、貫通孔２ａ，３ａの近傍からストローク側の深さが０．５mm以上の損傷をエッジ損傷と定義し、損傷領域が重ならないように以下のパラメータを満たす場合に交換を実施することとした。
（Ｓ−Ｄ）≦（Ｅup＋Ｅlp）
但し、Ｓ：プレートストローク量（mm）
Ｄ＝（Ｄu ＋Ｄl ）／２
Ｄu ：固定プレート２の貫通孔２ａの内径（mm）
Ｄl ：摺動プレート３の貫通孔３ａの内径（mm）
Ｅup：固定プレート２のストローク側エッジ損傷量(mm)
Ｅlp：摺動プレート３のストローク側エッジ損傷量(mm)
【００５７】
上記、本発明によれば、より安全に、かつコストを低減して固定プレート２や摺動プレート３の交換の有無を判定することができる。
【実施例】
【００５８】
以下、本発明の効果を確認するために行った実験結果について説明する。
発明者らは、傾転装置を使用して取鍋を横向きに傾転させた状態で、油圧シリンダーを作動して摺動プレートを移動させ、固定プレートと摺動プレートの摺動面を容易に確認できる、取鍋に設置したスライディングノズル装置を使用して、両プレートの損傷を測定し、その交換の有無を判定した。
【００５９】
なお、本実験に使用した取鍋の傾転装置は、取鍋ノズルの洗浄等のために通常設置されているものであるが、取鍋の傾転装置が設置されていない場合は、取鍋を傾転せず、油圧シリンダーを作動させて摺動プレートを移動して固定プレートと摺動プレートの摺動面を測定することも可能である。
【００６０】
実験は、鋳造のための溶融金属の排出が完了した後、摺動プレートを移動させて、スライディングノズル装置を再び全閉にした後、取鍋を傾転し、取鍋ノズルと固定プレートと摺動プレートの孔部の地金を酸素洗浄した後、再度摺動プレートを移動させて、スライディングノズル装置を全開にして測定を行った。上記洗浄及び測定準備等のために、溶融金属の排出が完了して４０分が経過した後に、固定プレートと摺動プレートの摺動面の測定を実施した。
【００６１】
４０５nmの波長のレーザー距離計を二次元検出器として使用し、前記貫通孔近傍が８４５℃で赤熱した状態で、固定プレート及び摺動プレートの貫通孔中心を通る長手方向のプレート全幅を測定し、貫通孔中心の損傷状況の測定を行った。
【００６２】
測定結果を図３に示す。図３の横軸が固定プレート、摺動プレートの長手方向位置、縦軸が二次元検出器から、測定位置である固定プレート、摺動プレートの摺動面までの距離であり、プレートの厚み方向の変位としている。
【００６３】
実験では、波長が４０５nmの青色レーザーを使用したため、固定プレート、摺動プレートの摺動面でのレーザーの視認性も良好であり、赤熱した状態の摺動面を、測定位置が不明になる等の問題もなく、固定プレート、摺動プレートの全幅に亘って、二次元検出器から各摺動面までの距離を測定することができた。
【００６４】
固定プレート、摺動プレートの長手方向の全幅は共に約５１０mmであり、その両側は測定値が急激に変化していることから、固定プレート、摺動プレートの端部の位置及び当該位置における距離を検知できている。また、固定プレートと摺動プレートのそれぞれについて、貫通孔部も検知できている。
【００６５】
固定プレート、摺動プレートの摺動面の健全部（厚み方向寸法が０mmの位置）と、それぞれの貫通孔部近傍のストローク側エッジ損傷については、深さが０．５mm以上の損傷を損傷部とした。
【００６６】
プレートストローク量Ｓは２３０mm、固定プレートの貫通孔の内径Ｄu と摺動プレートの貫通孔の内径Ｄl の平均値Ｄ{（Ｄu ＋Ｄl ）／２}は９５mmであり、固定プレートのストローク側エッジ損傷量Ｅupの測定値は５６mm（図３（ａ））、摺動プレートのストローク側エッジ損傷量Ｅlpは８４mm(図３（ｂ）)であった。
【００６７】
従って、Ｓ−Ｄは２３０mm−９５mmで１３５mm、Ｅup＋Ｅlpは５６mm＋８４mmで１４０mmとなり、（Ｓ−Ｄ）≦（Ｅup＋Ｅlp）の関係のため、固定プレートと摺動プレートの交換の必要があると判断して交換を実施した。
【００６８】
本発明は上記した例に限らないことは勿論であり、各請求項に記載の技術的思想の範疇であれば、適宜実施の形態を変更しても良いことは言うまでもない。
【符号の説明】
【００６９】
１    スライディングノズル装置
２    固定プレート
２ａ    貫通孔
２ｂ，２ｃ    端部
３    摺動プレート
３ａ    貫通孔
３ｂ、３ｃ    端部
４    油圧シリンダー
５    二次元検出器
【図１】
0006361301.tif 000002
【図２】
0006361301.tif 000003
【図３】
0006361301.tif 000004